(57)【要約】  搬送バケットの容積効率を大きくすることができると共に簡易な構造の赤熱コークス受骸搬送装置を得る。  本発明に係る赤熱コークス受骸搬送装置１は、下部に排出ゲート開閉機構３１を有する搬送バケット３を載置してコークス炉から赤熱コークスを搬送バケット３によって受骸する赤熱コークス受骸装置５と、搬送バケット３をコークス乾式消火設備側に吊り上げる巻上塔７とを有し、赤熱コークス受骸装置５は、コークス炉に沿って設けられた軌条１１を走行する親台車１３と、親台車１３と巻上塔７との間で搬送バケット３を移動させる子台車１７と、親台車１３に設けられて搬送バットを旋回させる旋回テーブル１５とを備えてなり、巻上塔７は、巻上塔側に移動した搬送バケット３の下部を保持可能なフック部１９を有する吊り金物２１と、吊り金物２１を巻き上げる巻上機構２５とを備えてなる。
2011018920.tif 000002
【特許請求の範囲】
【請求項１】
下部に排出ゲート開閉機構を有する搬送バケットを載置してコークス炉から赤熱コークスを前記搬送バケットによって受骸する赤熱コークス受骸装置と、前記搬送バケットをコークス乾式消火設備側に吊り上げる巻上塔とを有する赤熱コークス受骸搬送装置であって、
前記赤熱コークス受骸装置は、コークス炉に沿って設けられた軌条を走行する親台車と、該親台車と前記巻上塔との間で前記搬送バケットを移動させる搬送バケット移動装置と、該搬送バケット移動装置又は前記親台車に設けられて前記搬送バットを旋回させる旋回機構とを備えてなり、
前記巻上塔は、巻上塔側に移動した搬送バケットの下部を保持可能なフック部を有する吊り金物と、該吊り金物を巻き上げる巻上機構とを備えてなることを特徴とする赤熱コークス受骸搬送装置。
【請求項２】
前記搬送バケットは、円筒状の本体部と、縮径する下部縮径部を有し、上端部には拡径するつば部を有していないことを特徴とする請求項１記載の赤熱コークス受骸搬送装置。
【請求項３】
前記吊り金物は、門形に形成され、両側脚部の下部にフック部を有することを特徴とする請求項１又は２記載の赤熱コークス受骸搬送装置。
【請求項４】
前記吊り金物に前記搬送バケットの上端開口部を覆うバケットカバーを設け、該バケットカバーを介して前記搬送バケットの転倒防止ができる構造としたことを特徴とする請求項１乃至３のいずれか一項記載の赤熱コークス受骸搬送装置。
【請求項５】
前記巻上塔は、吊り金物を上下動させるためのガイドレールを有し、該ガイドレールが子台車の位置から連続する構造であることを特徴とする請求項１乃至４のいずれか一項に記載の赤熱コークス受骸搬送装置。
【発明の詳細な説明】
【技術分野】
【０００１】
本発明は、コークス炉から赤熱コークスを受骸してコークス乾式消火設備側に搬送する赤熱コークス受骸搬送装置に関する。
【背景技術】
【０００２】
コークス炉から窯出しされる赤熱コークスを受骸しコークス乾式消火設備に搬送して装入するのに、吊りフレーム機構を介して吊り上げ可能な円筒形の搬送バケットを備えた赤熱コークスの受骸搬送装置が使用されている。
図１１は特許文献１に示された従来の赤熱コークス受骸装置１００を説明する説明図である。従来の赤熱コークス受骸装置１００は、軌道上を走行する台車１０１と、台車１０１に設置された旋回テーブル１０３と、旋回テーブル１０３上に載置される搬送バケット１０５と、台車１０１に設置されて搬送バケット１０５を吊り上げるための吊りフレーム機構１０７を備えている。【０００３】
搬送バケット１０５は、その上端部に拡径したつば部１０９と、つば部１０９に連続して下方に延びる円筒形の本体部１１１と、本体部１１１の下方に縮径して連続する縮径部１１３を備えており、縮径部１１３にはコークスを排出するための排出ゲート開閉機構１１５が設けられている。
吊りフレーム機構１０７は、台車１０１の前後に立設された台車側ガイドレール１１７と、台車側ガイドレール１１７に沿って上下動可能なサイドローラ１１９を有する吊り金物１２１を備えている。吊り金物１２１は、下端側が内側（搬送バケット１０５側）に屈曲するフック部１２３を有しており、全体の側面形状がＬ字状になっている。そして、フック部１２３によって排出ゲート側を支持することで、搬送バケット１０５を保持可能になっている。また、吊り金物１２１は剛性を確保するために搬送バケット１０５の周囲を囲むように設置された外枠部１２５を備えている。【０００４】
上記のように構成された従来のコークス受骸装置は、図１２、図１３に示すように、コークス炉１２７に沿って設けられた軌条１２９を台車１０１が走行して、コークス炉１２７から赤熱コークスを受骸する。受骸する際には、旋回テーブル１０３を旋回させることで、搬送バケット１０５内に赤熱コークスを均一に受骸することができると共にコークス容積効率を高くすることができる。【０００５】
赤熱コークスを受骸した搬送バケット１０５を載せた台車１０１は、コークス乾式消火設備（以下ＣＤＱ設備と呼ぶ）へ搬送するための巻上塔１３１のある位置まで移動する（図１２参照）。巻上塔１３１では、図１４に示すように、ガイドレール１３３と、ガイドレール１３３に沿って上下移動可能なサイドローラ１１９を備えた吊り具１３７が動滑車１３９を介して上下動可能に設置され、吊り具１３７にはバケットカバー１４１が設けられている。
吊り具１３７は、図１４、図１５では簡略化しているが、上吊り具１４３と下吊り具１４５並びに吊りフック１４７を有しており、吊り金物１２１の上端部を吊りフック１４７が着脱可能に保持できる構造になっている。【０００６】
巻上塔１３１の位置に移動した台車１０１は、台車側ガイドレール１１７がガイドレール１３３と連続する位置に停止する。その位置で吊り具１３７を吊り上げると、図１５に示すように、上吊り具１４３と下吊り具１４５の間隔が伸びて、吊りフック１４７が吊り金物１２１を自動的に保持することになる。さらに、吊り具１３７を吊り上げると、吊り金物１２１が上方に移動して、図１４に示すように、吊り金物１２１のフック部１２３が排出ゲート側を支持し、これによって搬送用バケットが旋回テーブル１０３の上方に持ち上げられてバケットカバー１４１を搬送バケット１０５上部に載せた後に、ＣＤＱ設備側に搬送される。【０００７】
上記のように従来の赤熱コークス受骸装置１００は、搬送バケット１０５を吊り上げるのに必要とされる機構を巻上塔１３１側と搬送バケット１０５側に分離して設け、受骸時にはその一部である吊りフレーム機構１０７を付属した状態で受骸し、吊り上げ時には、フレーム機構１０７を巻上塔１３１側の吊り具１３７と連結するというものであった。
このような構造のため、吊りフレーム機構１０７は常に搬送バケット１０５に付属する構造であり、また吊りフレーム機構１０７、特に吊り金物１２１の剛性を確保するための外枠部１２５を必要としている。【０００８】
外枠部１２５が搬送バケット１０５の外側に出っ張るように存在するため、搬送バケット１０５をコークス炉から離す必要があり、そのため搬送バケット１０５とコークス炉との間に隙間が生ずるので、その隙間から受骸する赤熱コークスが落下してしまう。これを防止するために、搬送バケット１０５の上端部にはつば部１０９を設けている。
このように、外枠部１２５の存在によって搬送バケット１０５につば部１０９を必要とすることから、以下のような問題がある。【０００９】
図１３に示すように、搬送バケット１０５の上端部の外径をＤ１、本体部１１１の外径をＤ２、外枠部１２５の外径をＷとすると、Ｄ１≧Ｗ＞Ｄ２の関係にある。そして、Ｄ１−Ｄ２は約１０００ｍｍであり、またＤ１＝５０００ｍｍ〜７０００ｍｍであることから、仮にＤ１＝６０００ｍｍとすると、（Ｄ２／Ｄ１）＝（５０００／６０００）≒７０％となる。つまり、外枠部１２５が存在することで、搬送バケット１０５の容量が３０％も小さくなっているのである。【００１０】
このような問題を解決するものとして、特許文献２には、外枠部１２５を搬送バケット１０５の縮径部１１３に配置することによって、外枠部１２５が搬送バケット１０５の本体部１１１の外方に出っ張るのを防止し、容積効率を向上させ、小型コークス炉のような狭い場所においても、旋回が可能なものを実現している。
【特許文献１】特公昭６３−１４０３２号公報
【特許文献２】ＷＯ２００７／１０５５１３Ａ１
【発明の開示】
【発明が解決しようとする課題】
【００１１】
しかしながら、特許文献２のものも、特許文献１と同様に、吊りフレーム機構１０７が搬送バケット１０５に常時付属するという点では変わらず、ただ吊りフレーム機構１０７を構成する部材である外枠部１２５が出っ張らないようにしたに過ぎない。
しかし、受骸時にも吊りフレーム機構１０７を付属させているために、以下のような問題を残していた。【００１２】
特許文献２においては、外枠部１２５を搬送バケット１０５の縮径部１１３に配置するというものであるが、縮径部１１３には排出ゲート開閉機構１１５が設けられている。そのため、搬送バケット１０５の旋回を阻害しないで、かつ出っ張らないように外枠部１２５を配置することは難しく、現実に外枠部１２５の一部が出っ張らざるを得ず、コークス炉と搬送バケット１０５との間には外枠部１２５の存在に起因する隙間が生じているというのが現状である。
このため、受骸時に前記隙間に飛散したコークスの落下防止のために搬送バケット１０５にはつば部１０９が必要とされる。つば部１０９が必要となると、その分だけ容積効率が悪くなる。また、受骸時には本来不用であるはずの、吊りフレーム機構１０７があるため、小型コークス炉でそれが邪魔になることもある。
また、吊り上げ時には、吊りフレーム機構１０７と吊り具１３７と連結する必要があるため、そのため複雑な連結構造が必要となる。連結構造としては、吊り金物１２１と吊り具１３７との連結に加えて、ガイドレール１３３が連結または芯出し設置される構造も必要となる。
以上のように、従来の赤熱コークス受骸装置１００には、いまだ課題が残されていた。【００１３】
本発明はかかる課題を解決するためになされたものであり、搬送バケットの容積効率を大きくすることができると共に簡易な構造の赤熱コークス受骸搬送装置を得ることを目的としている。
【課題を解決するための手段】
【００１４】
従来の赤熱コークス受骸装置は、吊り上げ時に必要とされる機構である吊りフレーム機構１０７を搬送バケット側に付属させるという構造であった。このように、吊りフレーム機構１０７を搬送バケット側に付属させたのは以下のような理由であると考えられる。つまり、吊り金物１２１が内方に屈曲するフック部１２３を有し、このフック部１２３で搬送バケットの下部を支持する構造であるため、フック部１２３を搬送バケットの下部に入り込ませる配置関係を構成するには、このような配置を予め構築しておくしかないと考えられたからである。
しかし、発明者は、吊り上げに必要とされる吊りフレーム機構１０７は受骸時には不用であると考え、搬送バケットと吊り上げに必要とされる機器類を切り離し、吊り上げ時に必要とされる機器類は巻上塔側に配置するという着想を得て本発明を完成したものであり、具体的には以下の構成からなるものである。【００１５】
（１）本発明に係る赤熱コークス受骸搬送装置は、下部に排出ゲート開閉機構を有する搬送バケットを載置してコークス炉から赤熱コークスを前記搬送バケットによって受骸する赤熱コークス受骸装置と、前記搬送バケットをコークス乾式消火設備側に吊り上げる巻上塔とを有する赤熱コークス受骸搬送装置であって、前記赤熱コークス受骸装置は、コークス炉に沿って設けられた軌条を走行する親台車と、該親台車と前記巻上塔との間で前記搬送バケットを移動させる搬送バケット移動装置と、該搬送バケット移動装置又は前記親台車に設けられて前記搬送バットを旋回させる旋回機構とを備えてなり、前記巻上塔は、巻上塔側に移動した搬送バケットの下部を保持可能なフック部を有する吊り金物と、該吊り金物を巻き上げる巻上機構とを備えてなることを特徴とするものである。【００１６】
（２）また、上記（１）に記載のものにおいて、前記搬送バケットは、円筒状の本体部と、縮径する下部縮径部を有し、上端部には拡径するつば部を有していないことを特徴とするものである。【００１７】
（３）また、上記（１）又は（２）に記載のものにおいて、前記吊り金物は、門形に形成され、両側脚部の下部にフック部を有することを特徴とするものである。【００１８】
（４）また、上記（１）乃至（３）のいずれかに記載のものにおいて、前記吊り金物に前記搬送バケットの上端開口部を覆うバケットカバーを設け、該バケットカバーを介して前記搬送バケットの転倒防止ができる構造としたことを特徴とするものである。【００１９】
（５）また、上記（１）乃至（４）のいずれかに記載のものにおいて、前記巻上塔は、吊り金物を上下動させるためのガイドレールを有し、該ガイドレールが子台車の位置から連続する構造であることを特徴とするものである。
【発明の効果】
【００２０】
本発明に係る赤熱コークス受骸搬送装置は、赤熱コークスを受骸する際に不要である吊り金物などの吊り上げ時に必要となる器具類を巻上塔側に設置する構成にしたので、受骸時の搬送バケットには余計な付属機器が付属しておらず、それ故に搬送バケットそのものの容量を大きくすることができる。
また、搬送バケットの吊り上げに必要な器具を巻上塔側に集約したので、従来例のようにガイドレールが分離させる必要がなく、また複雑な機構の吊り具も不用になり、極めてシンプルな構造になる。
【図面の簡単な説明】
【００２１】
【図１】本発明の一実施の形態に係る赤熱コークス受骸搬送装置の構成を説明する説明図である。
【図２】本発明の一実施の形態に係る赤熱コークス受骸搬送装置の構成及び動作を説明する説明図である。
【図３】図２の矢視Ａ−Ａ線に沿う断面図である。
【図４】本発明の一実施の形態に係る赤熱コークス受骸搬送装置の構成の一部を説明する説明図である。
【図５】図４の矢視Ｂ−Ｂ線に沿う図である。
【図６】本発明の一実施の形態に係る赤熱コークス受骸搬送装置の構成の一部を説明する説明図である。
【図７】本発明の一実施の形態に係る赤熱コークス受骸搬送装置の構成及び動作を説明する説明図である。
【図８】本発明の一実施の形態に係る赤熱コークス受骸搬送装置の構成及び動作を説明する説明図である。
【図９】本発明の一実施の形態に係る赤熱コークス受骸搬送装置の構成の一部の他の態様の説明図である。
【図１０】図９の矢視Ｃ−Ｃ線に沿う図である。
【図１１】従来の赤熱コークス受骸装置の構成を説明する説明図である。
【図１２】従来の赤熱コークス受骸装置の構成及び動作を説明する説明図である。
【図１３】図１２の矢視Ｄ−Ｄ線に沿う断面図である。
【図１４】従来の赤熱コークス受骸装置の構成及び動作を説明する説明図である。
【図１５】従来の赤熱コークス受骸装置の構成及び動作を説明する説明図である。
【符号の説明】
【００２２】
１  赤熱コークス受骸搬送装置
３  搬送バケット
５  赤熱コークス受骸装置
７  巻上塔
９  コークス炉
１１  軌条
１３  親台車
１５  旋回テーブル
１７  子台車
１９  フック部
２１  吊り金物
２３  ガイドレール
２５  巻上機構
２７  本体部
２９  縮径部
３１  排出ゲート開閉機構
３３  ゲート
３５  ヒンジ
３７  支持部
３９  トラバース軌条
４１  両側脚部
４３  連結部
４５  第１サイドローラ
４７  第２サイドローラ
４９  バケットカバー
５１  サポート部材
５３  スライドガイド
５５  ガイド溝
５６  着床座
５７  動滑車
５９  ワイヤー
６１  車軸
６３  車輪
１００  赤熱コークス受骸装置
１０１  台車
１０３  旋回テーブル
１０５  搬送バケット
１０７  吊りフレーム機構
１０９  つば部
１１１  本体部
１１３  縮径部
１１５  排出ゲート開閉機構
１１７  台車側ガイドレール
１１９  サイドローラ
１２１  吊り金物
１２３  フック部
１２５  外枠部
１２７  コークス炉
１２９  軌条
１３１  巻上塔
１３３  ガイドレール
１３７  吊り具
１３９  動滑車
１４１  バケットカバー
１４３  上吊り具
１４５  下吊り具
１４７  吊りフック
【発明を実施するための最良の形態】
【００２３】
本発明の一実施の形態に係る赤熱コークス受骸搬送装置を、図面を参照しながら説明する。
本実施の形態の赤熱コークス受骸搬送装置１は、赤熱コークスを搬送バケット３によって受骸する赤熱コークス受骸装置５と、搬送バケット３をコークス乾式消火設備（ＣＤＱ設備）側に吊り上げる巻上塔７とを有している。そして、赤熱コークス受骸装置５は、コークス炉９に沿って設けられた軌条１１を走行する親台車１３と、親台車１３に設けられた旋回テーブル１５と、搬送バケット３を載置して旋回テーブル１５と巻上塔７との間を行き来する子台車１７とを備えている。
また、巻上塔７は、子台車１７に載置された搬送バケット３の下部を支持可能なフック部１９を有する吊り金物２１と、吊り金物２１をガイドするガイドレール２３と、吊り金物２１を巻き上げる巻上機構２５とを備えている。
各構成をさらに詳細に説明する。【００２４】
［赤熱コークス受骸装置］
赤熱コークス受骸装置５は、搬送バケット３と、親台車１３と、旋回テーブル１５と、子台車１７を備えている。【００２５】
＜搬送バケット＞
搬送バケット３は、図１、図４、図５に示されるように、子台車１７に載置される。搬送バケット３は、円筒形の本体部２７と、本体部２７の下方に縮径して連続する縮径部２９を備えており、縮径部２９の下端にはコークスを排出するための排出ゲート開閉機構３１が設けられている。【００２６】
本実施の形態の搬送バケット３は、従来例のように上端部に拡径するつば部を設けていない。この理由は以下の通りである。
本実施の形態の搬送バケット３は、親台車１３に載置されてコークス炉９の側方を移動して所定のコークス炉９から赤熱コークスを受骸する。搬送バケット３がコークスを受骸する際は、図３に示すように、搬送バケット３のみが、親台車１３に設けられた旋回テーブル１５上に子台車１７と共に載置されるのであり、従来例で付属していた外枠部１２５、吊り金物１２１及び台車側ガイドレール１１７なのどの巻上時に必要とされ受骸時には不用な機器は付属していない。
そのため、吊り金物１２１やその剛性を確保するための外枠部１２５などが付属する場合には、受骸時にコークスが付属機器側に飛散するのを防止するため、付属機器よりも平面視で外方に広がるようなつば部１０９（図１１参照）が必要であったが、本実施の形態では従来例のような付属機器が付属していないので、つば部１０９を設ける必要がないのである。【００２７】
つば部１０９を設けていないことによって、つば部１０９を設けている場合よりも本体部２７の径を大きくできるので、容積を大きくできる。逆に言えば、同じ容積であれば、小型化ができ、狭い小型コークス炉にも適用できる。【００２８】
搬送バケット３の縮径部２９の下端部にはコークスを排出するための排出ゲート開閉機構３１が設けられている。排出ゲート開閉機構３１は、図１、図４、図５に示されるように、搬送バケット３の下端を覆うように設置された２枚のゲート３３からなり、各ゲート３３がヒンジ３５によって中央部を下方に向けて開放できるような構造になっている。そして、各ゲート３３の外側の端部にはフック部１９によって支持される支持部３７を備えている。【００２９】
＜親台車＞
親台車１３は、図２に示すように、コークス炉９に沿って設けられた軌条１１を往復走行する。そして、赤熱コークスが排出されるコークス炉９の排出口のある所定位置に停止する。【００３０】
＜旋回テーブル＞
旋回テーブル１５は、図２に示すように、親台車１３に設置されて、旋回テーブル１５上に載置された搬送バケット３を旋回させる機能を有している。
搬送バケット３を旋回させることによって、受骸する赤熱コークスが搬送バケット３内で均一になるようにすると共に、容積効率を向上させることができる。【００３１】
＜子台車＞
子台車１７は、図１、図４、図５に示すように、搬送バケット３を載せて、親台車１３上の旋回テーブル１５とＣＤＱ巻上げ塔との間を行き来する。つまり、子台車１７は、自走可能で、図２に示されるように、コークス炉９に沿って設けられた軌条１１に直交するように設けられたトラバース軌条３９を走行して、ＣＤＱ巻上げ塔と親台車１３との間を行き来する。
子台車は、本発明の搬送バケット移動装置の一態様である。【００３２】
［巻上塔］
巻上塔７は、図１、図６に示すように、吊り金物２１と、ガイドレール２３と、吊り金物２１を吊り上げる巻上機構２５とを備えている。【００３３】
＜吊り金物＞
吊り金物２１は、図１に示すように、両側脚部４１と、両側脚部４１の上端側を連結する連結部４３を備えた略門形の形状をしており、両側脚部４１の下端部に内側に出っ張るフック部１９を備えている。フック部１９は、巻上塔７側に来た子台車１７に載置されている搬送バケット３における排出ゲート開閉機構３１の支持部３７を支持できるようになっている。
吊り金物２１の両側の片部の外面側の中央には外方に出っ張る第１サイドローラ４５が設けられ、その両側には第２サイドローラ４７が設けられている。第１サイドローラ４５は、後述するガイドレール２３のガイド溝５５に挿入されて転動する。また、第２サイドローラ４７はガイドレール２３の内面に当接して転動する。これらの第１サイドローラ４５、第２サイドローラ４７により、吊り金物２１は安定的に姿勢を保持しながら昇降することができる。【００３４】
吊り金物２１には、バッケットカバー４９が付属している。バケットカバー４９は、蓋部５０と、蓋部５０を保持するサポート部材５１を有している。蓋部５０は搬送バケット３の上部を包み込むように設置可能になっている。
サポート部材５１には、門形の吊り金物２１の両側脚に沿って上下動可能なスライドガイド５３が設けられている。【００３５】
＜ガイドレール＞
ガイドレール２３は、上下に連続する２本のバーを備えており、２本のバーの間にはガイド溝５５が形成されている。
ガイドレール２３にはバケットカバー４９のサポート部材５１が着床して、バケットカバー４９の位置決めをする着床座５６が設けられている。
従来例ではガイドレール１３３と台車側ガイドレール１１７に２分割されていたが、本実施の形態のガイドレール２３は途中で分離されることなく繋がっている。そのため、従来例の場合に必要とされるガイドレール１３３と台車側ガイドレール１１７の位置合わせのような操作が不要である。【００３６】
＜巻上機構＞
巻上機構２５は、吊り金物２１の上部の連結部４３に設けられた動滑車５７を備えて構成される。動滑車５７に巻き回されたワイヤー５９を図示しない巻上げ機によって巻き上げることで吊り金物２１をＣＤＱ設備側に吊り上げることができる。【００３７】
以上のように構成された本実施の形態の動作を説明する。
受骸時の動作の説明図である図２において、図２（ａ）はコークス炉９から受骸する位置に親台車１３がいる状態を示し、図２（ｂ）は受骸した状態で親台車１３が図中上方に移動して、トラバース軌条３９のある位置に停止している状態を示し、図２（ｃ）は、巻上塔７に子台車１７が移動した状態を示している。【００３８】
赤熱コークス受骸装置５は、親台車１３の旋回テーブル１５上に子台車１７を載置し、子台車１７には搬送バケット３を載せた状態で、軌条１１を走行して、所定位置においてコークス炉９から受骸する（図２（ａ）参照）。
受骸が完了すると、親台車１３は軌条１１を走行して、トラバース軌条３９が設けられた位置まで移動する（図２（ｂ）、図３参照）。
次に、子台車１７が旋回テーブル１５上から抜け出して、巻上塔７まで移動する（図２（ｃ）、図３参照）。【００３９】
子台車１７が到着する直前の巻上塔７の状態は、図６に示すように、吊り金物２１が下方に移動した状態になっている。巻上塔７がこの状態にあるときに、搬送バケット３を載せた子台車１７が巻上塔７に入ると、図７に示すように、排出ゲート開閉機構３１の下方に吊り金物２１のフック部１９が配置されることになる。
図７に示す状態から、バケットカバー４９がスライドガイド５３によってスライドして下降して、搬送バケット３の開口部にバケットカバー４９が装着される。バケットカバー４９が装着されることで、搬送バケット３はその上端部が保持されることになるので、安定する。【００４０】
この状態で、巻上装置を駆動してワイヤー５９を巻き上げると、吊り金物２１が上方に移動し、フック部１９が排出ゲート開閉機構３１に当接して当該部分を支持する。これにより、図８に示すように、搬送バケット３が吊り上げられる。吊り金物が上方に移動する際には、第１サイドローラ４５がガイド溝５５内を転動し、第２サイドローラ４７がガイドレール２３の内面を転動することで吊り金物は円滑に移動する。【００４１】
搬送バケット３を吊り上げている最中は、図８に示すように、蓋部５０は搬送バケット３の上部を包み込むように保持しており、地震などによる横荷重が搬送バケット３に加わっても蓋部５０、サポート部材５１、スライドガイド５３、吊金物２１、サイドローラ４５・４７、ガイドレール２３へと力が伝播して搬送バケット３は支えられるので、搬送バケット３が転倒するなどの危険がない。【００４２】
以上のように、本実施の形態においては、赤熱コークスを受骸する際に不要である吊り金物などの吊り上げ時に必要となる器具類を巻上塔７側に設置する構成にしたので、受骸時の搬送バケットには余計な付属機器が付属しておらず、それ故に搬送バケットそのものの容量を大きくすることができる。
また、搬送バケットの吊り上げに必要な器具を巻上塔７側に集約したので、従来例のようにガイドレールが分離させる必要がなく、また複雑な機構の吊り具１３７も不用になり、極めてシンプルな構造になる。【００４３】
なお、上記実施の形態では、搬送バケット移動装置の一態様として、搬送バケット３とは別に設けた子台車１７を例示した。しかし、搬送バケット移動装置はこれに限られるものではない。例えば、搬送バケット移動装置の他の態様としては、図９、図１０に示すように、排出ゲート開閉機構３１に車軸６１を設けて車軸６１に車輪６３を設けるようにしてもよい。このような構造が可能なのは、排出ゲート開閉機構３１が、フック部１９によって支持されたときに搬送バケット３の全荷重を支持できるだけの強度を備えているからである。【００４４】
また、上記実施形態では、子台車１７には旋回機構がなく、親台車１３に旋回機構としての旋回テーブル１５を設けた例を示したが、子台車１７側に旋回機構を設けるようにしてもよい。
さらに、吊り金物１２１の下部に設置されるフック部１９に関し、上記実施の形態で示したような固定式のものであってもよいし、あるいは排出ゲート３３の開閉にともなってスライドないし揺動できる機能を具備するようなものであってもよい。
【図１】
2011018920.tif 000003
【図２】
2011018920.tif 000004
【図３】
2011018920.tif 000005
【図４】
2011018920.tif 000006
【図５】
2011018920.tif 000007
【図６】
2011018920.tif 000008
【図７】
2011018920.tif 000009
【図８】
2011018920.tif 000010
【図９】
2011018920.tif 000011
【図１０】
2011018920.tif 000012
【図１１】
2011018920.tif 000013
【図１２】
2011018920.tif 000014
【図１３】
2011018920.tif 000015
【図１４】
2011018920.tif 000016
【図１５】
2011018920.tif 000017
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
下部に排出ゲート開閉機構を有する搬送バケットを載置してコークス炉から赤熱コークスを前記搬送バケットによって受骸する赤熱コークス受骸装置と、前記搬送バケットをコークス乾式消火設備側に吊り上げる巻上塔とを有する赤熱コークス受骸搬送装置であって、
前記赤熱コークス受骸装置は、コークス炉に沿って設けられた軌条を走行する親台車と、該親台車と前記巻上塔との間で前記搬送バケットを移動させる搬送バケット移動装置と、該搬送バケット移動装置又は前記親台車に設けられて前記搬送バットを旋回させる旋回機構とを備えてなり、
前記巻上塔は、巻上塔側に移動した搬送バケットの下部を保持可能なフック部を有する吊り金物と、該吊り金物を巻き上げる巻上機構とを備えてなることを特徴とする赤熱コークス受骸搬送装置。
【請求項２】
前記搬送バケットは、円筒状の本体部と、縮径する下部縮径部を有し、上端部には拡径するつば部を有していないことを特徴とする請求項１記載の赤熱コークス受骸搬送装置。
【請求項３】
前記吊り金物は、門形に形成され、両側脚部の下部にフック部を有することを特徴とする請求項１又は２記載の赤熱コークス受骸搬送装置。
【請求項４】
前記吊り金物に前記搬送バケットの上端開口部を覆うバケットカバーを設け、該バケットカバーを介して前記搬送バケットの転倒防止ができる構造としたことを特徴とする請求項１乃至３のいずれか一項記載の赤熱コークス受骸搬送装置。
【請求項５】
前記巻上塔は、吊り金物を上下動させるためのガイドレールを有し、該ガイドレールが分割されることなく連続する構造であることを特徴とする請求項１乃至４のいずれか一項に記載の赤熱コークス受骸搬送装置。
【手続補正２】
【補正対象書類名】明細書
【補正対象項目名】００１９
【補正方法】変更
【補正の内容】
【００１９】
（５）また、上記（１）乃至（４）のいずれかに記載のものにおいて、前記巻上塔は、吊り金物を上下動させるためのガイドレールを有し、該ガイドレールが分割されることなく連続する構造であることを特徴とするものである。
【国際調査報告】
2011018920.tif 000018
2011018920.tif 000019